(57)【特許請求の範囲】
【請求項１】
テーブル本体と、前記テーブル本体を側方から支持するとともに所定の設置対象に取り付け可能な支持部材と、前記テーブル本体と前記支持部材との間に介在し、前記テーブル本体を水平姿勢の使用位置と水平姿勢から向きが変えられた退避位置との間で回転させ、かつ前記使用位置及び前記退避位置のそれぞれの位置で保持できる回転保持機構と、を備え、
前記回転保持機構は、
前記テーブル本体が前記使用位置から前記退避位置まで回転する際に前記テーブル本体と前記支持部材とが常時重なり合う領域内に収められ、
前記テーブル本体の回転中心線上に配置されて前記テーブル本体を回転させる回転軸と、前記回転軸と距離を隔てて配置されたロックピンと、前記テーブル本体が前記使用位置と前記退避位置との間で回転する際に前記使用位置及び前記退避位置のそれぞれの位置で前記テーブル本体が保持されるように前記ロックピンをロックするロック機構とを有し、
前記回転軸、前記ロックピン及び前記ロック機構のそれぞれが前記領域内に収められ、
前記回転軸及び前記ロックピンが前記テーブル本体に、前記ロック機構が前記支持部材にそれぞれ設けられており、
前記ロックピンが前記回転軸に対して前記テーブル本体の厚さ方向に並んでおり、かつ
前記使用位置から前記退避位置へ向かう側に前記ロックピンが、その反対側に前記回転軸がそれぞれ位置し、
前記ロック機構は、前記回転軸側に向いている円弧状の部位を有する壁部と、前記壁部と前記回転軸との間に設けられて、前記使用位置及び前記退避位置のそれぞれに対応した位置で前記ロックピンがロックされるように前記ロックピンを前記壁部方向に押し付けるばね手段と、を有し、
前記ばね手段として、所定の基準線に関して左右対称に配置され、基端部が向かい合わされた状態で固定され、先端側が前記回転軸側に向かって折れ曲がり、かつ先端部が自由端の状態の板ばねとして構成された一対のロックばねが設けられており、
前記回転軸の中心から前記ロックピンの外周までの長さは、前記回転軸の中心から前記一対のロックばねの折れ曲がりの頂点までの長さよりも短い、ことを特徴とする可動式テーブル。
【発明の詳細な説明】
【技術分野】
【０００１】
本発明は、テーブル本体を水平姿勢の使用位置と水平姿勢から向きが変えられた退避位置との間で回転できる可動式テーブルに関する。
【背景技術】
【０００２】
比較的スペースが限られた列車の客室やトイレの個室等に設置されて、水平姿勢のテーブル本体が不使用時に邪魔にならないように水平姿勢から向きを変えて退避できるように構成された可動式テーブルが知られている。
【発明の概要】
【発明が解決しようとする課題】
【０００３】
従来の可動式テーブルには、水平姿勢の使用位置とその姿勢から向きが変えられた退避位置との間でテーブル本体を回転させ、かつこれらの位置でテーブル本体を保持するための機構が設けられている。こうした機構はテーブル本体と、そのテーブル本体を支持するブラケットとの間に介在しているが、テーブル本体の位置によってその機構が外部に露出する場合があった。
【０００４】
そこで、本発明は、テーブル本体を回転させかつ所定位置で保持するための機構が外部に露出することを防止できる可動式テーブルを提供することを目的とする。
【課題を解決するための手段】
【０００５】
以下、本発明の可動式テーブルについて説明する。なお、本発明の理解を容易にするために添付図面の参照符号を括弧書きにて付記するが、それにより本発明が図示の形態に限定されるものではない。
【０００６】
本発明の可動式テーブル（１）は、テーブル本体（２）と、前記テーブル本体を側方から支持するとともに所定の設置対象（Ｗ）に取り付け可能な支持部材（３）と、前記テーブル本体と前記支持部材との間に介在し、前記テーブル本体を水平姿勢の使用位置（図６の実線）と水平姿勢から向きが変えられた退避位置（図６の想像線）との間で回転させ、かつ前記使用位置及び前記退避位置のそれぞれの位置で保持できる回転保持機構（１０）と、を備え、前記回転保持機構は、前記テーブル本体が前記使用位置から前記退避位置まで回転する際に前記テーブル本体と前記支持部材とが常時重なり合う領域（ＡＲ）内に収められ、前記テーブル本体の回転中心線上に配置されて前記テーブル本体を回転させる回転軸（１１）と、前記回転軸と距離を隔てて配置されたロックピン（１２）と、前記テーブル本体が前記使用位置と前記退避位置との間で回転する際に前記使用位置及び前記退避位置のそれぞれの位置で前記テーブル本体が保持されるように前記ロックピンをロックするロック機構（１３）とを有し、前記回転軸、前記ロックピン及び前記ロック機構のそれぞれが前記領域内に収められ、前記回転軸及び前記ロックピンが前記テーブル本体に、前記ロック機構が前記支持部材にそれぞれ設けられており、前記ロックピンが前記回転軸に対して前記テーブル本体の厚さ方向に並んでおり、かつ前記使用位置から前記退避位置へ向かう側に前記ロックピンが、その反対側に前記回転軸がそれぞれ位置し、前記ロック機構は、前記回転軸側に向いている円弧状の部位を有する壁部（１５）と、前記壁部と前記回転軸との間に設けられて、前記使用位置及び前記退避位置のそれぞれに対応した位置で前記ロックピンがロックされるように前記ロックピンを前記壁部方向に押し付けるばね手段（１６Ａ、１６Ｂ）と、を有し、前記ばね手段として、所定の基準線（Ｌ）に関して左右対称に配置され、基端部が向かい合わされた状態で固定され、先端側が前記回転軸側に向かって折れ曲がり、かつ先端部が自由端の状態の板ばねとして構成された一対のロックばねが設けられており、前記回転軸の中心から前記ロックピンの外周までの長さは、前記回転軸の中心から前記一対のロックばねの折れ曲がりの頂点（Ｐ）までの長さよりも短いことにより、上述した課題を解決する。
【０００７】
テーブル本体が使用位置から退避位置まで回転する際にテーブル本体と支持部材とが常時重なり合う領域は、テーブル本体の位置に拘わらずに外部から常時隠れている領域に相当する。従って、本発明の可動式テーブルは、当該領域内に回転保持機構が収められているのでテーブル本体の回転に伴って回転保持機構が外部に露出することを防止できる。
【０００８】
そして、回転保持機構の構成要素である回転軸、ロックピン及びロック機構のそれぞれが上記領域内に収められているので、これらが外部に露出することがない。
【０００９】
また、ロックピンが回転軸に対してテーブル本体の厚さ方向に並んでいるので、回転軸を境にしてテーブル本体の基端側又は先端側のいずれか一方に、回転保持機構の各構成要素が収まる面積を確保するだけで、回転保持機構の各構成要素をテーブル本体と支持部材とが常時重なり合う上記領域内に収めることができる。つまり、回転保持機構の各構成要素を上記領域内に収めるためにテーブル本体の厚みを増やす必要がないから、テーブル本体の厚みが増すことを防止できる。
【００１０】
更に、使用位置から退避位置へ向かう側にロックピンが、その反対側に回転軸がそれぞれ位置しているので、テーブル本体と支持部材とが常時重なり合う上記領域が基端側に偏って形成されるので、支持部材に設けられたロック機構が基端側に位置することになる。そのため、支持部材の先端側への寸法増加を抑えることができる。従って、テーブル本体の厚みの増加とともに支持部材の寸法増加を抑えることができるので、テーブル本体及び支持部材がそれぞれコンパクトになる。
【００１１】
また、回転軸とロックピンとの距離を大きくするほど、回転軸及びロックピンに対する負荷が低下するので強度上有利であるが、回転軸とロックピンとの間に生じるスペースにばね手段が設けられているので、回転軸とロックピンとの距離を広げて必要な強度を確保しつつロック機構の半径方向に関する寸法増大を抑えることができる。
【発明の効果】
【００１２】
以上説明したように、本発明によれば、テーブル本体が使用位置から退避位置まで回転する際にテーブル本体と支持部材とが常時重なり合う領域内に回転保持機構が収められているのでテーブル本体の回転に伴って回転保持機構が外部に露出することを防止できる。
【図面の簡単な説明】
【００１３】
【図１】本発明の一形態に係る可動式テーブルが使用位置に保持された状態を上方から示した平面図。
【図２】図１の可動式テーブルの側面図。
【図３】図３は図１の可動式テーブルが退避位置に保持された状態を示した側面図。
【図４】回転保持機構の構成を示す斜視図であって支持部材から外されたテーブル本体の基端側の一部を示した図。
【図５】回転保持機構の構成を示す斜視図であって右側のブラケットの内側を示した図。
【図６】回転保持機構の詳細を示した透過図。
【図７】第１の変形例に係る回転保持機構１０の各構成要素の配置を模式的に示した説明図。
【図８】第２の変形例に係る回転保持機構の各構成要素の配置を模式的に示した図。
【発明を実施するための形態】
【００１４】
図１は本発明の一形態に係る可動式テーブルが使用位置に保持された状態を上方から示した平面図、図２は図１の可動式テーブルの側面図、図３は図１の可動式テーブルが退避位置に保持された状態を示した側面図である。
【００１５】
可動式テーブル１は比較的スペースが限られた列車の客室やトイレの個室等に設置されて使用される。可動式テーブル１は、全体として矩形状に形成されたテーブル面２ａを有するテーブル本体２と、そのテーブル本体２の基端側（図１の上側）を側方から挟み込むようにして支持する支持部材３とを備えている。テーブル面２ａには、テーブル本体２の使用位置においてカップ等の容器を保持するための窪み２ｂが基端側の右側に形成されている。
【００１６】
可動式テーブル１は支持部材３が設置対象である直立した壁部Ｗに取り付けられて使用されることを前提として設計されている。支持部材３は、テーブル本体２の側方に沿うように配置された左右一対のブラケット４と、左右方向に延びていて各ブラケット４を連結する連結プレート５とを有している。連結プレート５は壁部Ｗに対してボルト等の締結手段にて固定される。各ブラケット４は連結プレート５に対して着脱自在となるようにボルト等の締結手段を利用して連結プレート５に取り付けられている。
【００１７】
可動式テーブル１には、テーブル本体２を水平姿勢の使用位置（図１及び図２）と、水平姿勢から向きが上向きに変えられた退避位置（図３）との間で回転中心線ＣＬを中心として回転させ、かつ使用位置及び退避位置のそれぞれの位置でテーブル本体２を保持できるようにするため、回転保持機構１０が設けられている。回転保持機構１０はテーブル本体２と右側のブラケット４との間に、テーブル本体２と左側のブラケット４との間にそれぞれ介在している。左右に一つずつ設けられた回転保持機構１０は互いに同一構造であるから、一方の回転保持機構１０の説明に留めて重複した説明を省略する。
【００１８】
図４及び図５は回転保持機構１０の構成を示す斜視図であり、図４は支持部材３から外されたテーブル本体２の基端側の一部を、図５は右側のブラケット４の内側をそれぞれ示している。これらの図に示すように、回転保持機構１０はテーブル本体２の回転中心線ＣＬ上に配置されてテーブル本体２を回転させる回転軸１１と、その回転軸１１と距離を隔てて配置されたロックピン１２と、テーブル本体２が使用位置と退避位置との間で回転する際に使用位置及び退避位置のそれぞれの位置でテーブル本体２が保持されるようにロックピン１２をロックするロック機構１３とを有している。可動式テーブル１においては回転軸１１及びロックピン１２がテーブル本体２に、ロック機構１３が支持部材３（ブラケット４）にそれぞれ設けられている。ロックピン１２は、回転軸１１に対してテーブル本体２の厚さ方向に並んでいる。可動テーブル１においては、ロックピン１２が使用位置から退避位置へ向かう側つまり上側に、回転軸１１がその反対側である下側にそれぞれ位置している。
【００１９】
回転保持機構１０はテーブル本体２と支持部材３とが組み合わされた状態で回転軸１１、ロックピン１２及びロック機構１３のそれぞれが機能するように構成されている。ロック機構１３は、回転中心線ＣＬの回りに回転可能な状態で回転軸１１が挿入される支持穴１４と、その支持穴１４の径方向外側に形成された壁部１５と、使用位置及び退避位置のそれぞれに対応した位置でロックピン１２がロックされるようにロックピン１２を壁部１５方向に押し付けるばね手段としての一対のロックばね１６Ａ、１６Ｂとを有している。
【００２０】
図６は回転保持機構１０の詳細を示した透過図である。図６においては回転保持機構１０の各構成要素及びそれらの配置を明確に示すため、回転保持機構１０がテーブル本体２や支持部材３等の周囲の部材を透過するように図示されている。この図から明らかなように、可動式テーブル１は、実線で示された使用位置から想像線で示された退避位置までの回転角αが９０°に設定されている。従って、テーブル本体２は、水平姿勢の使用位置から退避位置へ移動すると、その退避位置においては水平姿勢から９０°向きが変えられた状態となって壁部Ｗに対して平行に直立する（図２及び図３も参照）。ロックピン１２はテーブル本体２に設けられているので、これらが一体となって使用位置から退避位置までの間を回転中心線ＣＬの回りに９０°回転する。壁部１５は、テーブル本体２の回転中心側、即ち回転軸１１側に向いていて、中心角が９０°の円弧状の部位１５ａと、その部位１５ａの両端から中心側に延びる平面状の部位１５ｂとを有している。その平面状の部位１５ｂにロックピン１２が突き当たることにより、テーブル本体２は使用位置及び退避位置のそれぞれで位置決めされる。
【００２１】
一対のロックばね１６Ａ、１６Ｂは壁部１５と回転軸１１との間に設けられていて、所定形状の板ばねとして構成されている。可動式テーブル１は、回転角αが９０°に設定されているため、その半分である４５°の中心角上に設定された基準線Ｌに関して一対のロックばね１６Ａ、１６Ｂが左右対称に配置されている。各ロックばね１６Ａ、１６Ｂは基端部が向かい合わされた状態で保持具１７を利用してブラケット４に固定されている。また、各ロックばね１６Ａ、１６Ｂの先端側は回転軸１１側に向かって折れ曲がっており、回転軸１１の中心からロックピン１２の外周までの長さは、回転軸１１の中心から各ロックばね１６Ａ、１６Ｂの折れ曲がりの頂点Ｐまでの長さよりも短い。
【００２２】
従って、テーブル本体２の回転とともにロックピン１２を実線及び想像線の各位置へ移動させるには、ロックピン１２が各ロックばね１６Ａ、１６Ｂを回転軸１１側に弾性変形させながらその頂点Ｐを乗り越えることが必要である。ロックピン１２が頂点Ｐを乗り越えた後は、弾性変形に伴う半径方向外向きのばね力により、一方のロックばね１６Ａは使用位置に対応した実線の位置でロックピン１２を壁部１５方向に押し付けることができ、かつ他方のロックばね１６Ｂも、退避位置に対応した想像線の位置でロックピン１２を壁部１５方向に押し付けることができる。これにより、実線及び想像線の各位置でロックピン１２が各ロックばね１６Ａ、１６Ｂにてロックされるから、ロックピン１２が設けられたテーブル本体２は使用位置及び退避位置の各位置で保持される。ロックピン１２のロック解除は上記と同様に頂点Ｐをロックピン１２が上記と反対向きに乗り越えることにより実現される。なお、解除状態からロック状態へ又はロック状態から解除状態への操作力は、各ロックばね１６Ａ、１６Ｂの厚さや回転軸１１の中心から頂点Ｐまでの長さをそれぞれ変化させることにより調整可能である。
【００２３】
このように、回転軸１１とロックピン１２との間に生じるスペースに一対のロックばね１６Ａ、１６Ｂが設けられているので、回転軸１１とロックピン１２との距離を広げて各部材に対する負荷を下げて必要な強度を確保しつつロック機構１３の半径方向に関する寸法増大を抑えることができる。
【００２４】
図６に示されたハッチングが施された領域ＡＲは、テーブル本体２が実線の使用位置から想像線の退避位置まで回転する際にテーブル本体２とブラケット４（即ち、支持部材３）とが常時重なり合う領域である。使用位置から退避位置までの如何なる位置にテーブル本体２が存在しても、テーブル本体２と支持部材３との間には一方が他方を隠す関係が成立する。つまり、領域ＡＲはテーブル本体２の位置に拘わらずに外部から常時隠れている領域に相当する。図６から明らかなように、可動式テーブル１は回転保持機構１０が領域ＡＲ内に収められている。具体的には回転保持機構１０の回転軸１１、ロックピン１２及びロック機構１３の３つの要素が領域ＡＲ内に収められている。そのため、可動式テーブル１は、そのテーブル本体２が操作されても回転保持機構１０が外部に露出しない。即ち、回転保持機構１０の構成要素である回転軸１１、ロックピン１２及びロック機構１３のいずれもが外部に露出することはない。
【００２５】
上述したように、可動式テーブル１は、ロックピン１２が回転軸１１に対してテーブル本体２の厚さ方向に並んでいるから、回転軸１１を境としたテーブル本体２の先端側に回転保持機構１０の各構成要素が収まる面積を確保するだけで、回転保持機構１０の各構成要素を領域ＡＲ内に収めることができる。回転軸１１を境としたテーブル本体２の先端側が基端側よりも十分に長いので当然にその面積の確保は容易である。つまり、回転保持機構１０の各構成要素を領域ＡＲ内に収めるためにテーブル本体２の厚みを増やす必要がないから、テーブル本体２の厚みが増すことを防止できる。
【００２６】
しかも、可動式テーブル１は、ロックピン１２がテーブル本体２の上側に、回転軸１１がその下側にそれぞれ位置している。このため、図６に示すように、領域ＡＲが回転軸１１を境とした基端側に偏って形成されるので、支持部材３に設けられたロック機構１３が基端側に位置することになる。そのため、支持部材３の先端側への寸法増加を抑えることができる。従って、テーブル本体２の厚みの増加とともに支持部材の寸法増加を抑えることができるので、テーブル本体及び支持部材がそれぞれコンパクトになる。
【００２７】
図示の領域ＡＲの大きさや形状は、テーブル本体２の厚さ方向の寸法及び側面の形状、ブラケット４（支持部材３）の寸法、回転角αの設定値、並びに回転軸１１とロックピン１２との間隔及び位置関係等の幾何学的条件に基づいて一義的定められる。従って、図６に示された領域ＡＲの大きさや形状はバリエーションの中の一例にすぎない。
【００２８】
また、領域ＡＲに収められる回転保持機構１０の各構成要素の配置についても、種々の形態が存在する。例えば、図７及び図８に示すように、回転軸１１、ロックピン１２及びロック機構１３の配置を変更できる。図７は第１の変形例に係る回転保持機構１０の各構成要素の配置を模式的に示した説明図である。図示するように、ロックピン１２と回転軸１１とをテーブル本体２の厚さ方向と直交する方向にそれぞれ並べることも可能である。この場合には、テーブル本体２と支持部材３とが常時重なり合う領域内に各構成要素を収めるためにテーブル本体２の厚みを増やす必要がある。
【００２９】
図８は第２の変形例に係る回転保持機構の各構成要素の配置を模式的に示している。第２の変形例は、図４の形態と同じようにロックピン１２と回転軸１１とをテーブル本体２の厚さ方向に並べるが、図４の形態とは位置が入れ替わり、回転軸１１が使用位置から退避位置へ向かう側つまり上側に、ロックピン１２がその反対側である下側にそれぞれ位置させたものである。この場合においては、回転軸１１を境にしてテーブル本体２の基端側に回転保持機構１０の各構成要素が収まる面積Ｓを確保するだけで、回転保持機構の各構成要素をテーブル本体と支持部材とが常時重なり合う上記領域内に収めることができる。つまり、回転保持機構１０の各構成要素を上記領域内に収めるためにテーブル本体２の厚みを増やす必要がないから、テーブル本体２の厚みが増すことを防止できる。
【００３０】
以上の可動式テーブル１及びその変形例群はいずれも、テーブル本体２を水平姿勢の使用位置から上向きに回転させて退避位置へ操作するものであるが、本発明をテーブル本体２を水平姿勢の使用位置から下向きに回転させて退避位置へ操作する可動式テーブルとして実現することも可能である。この場合には、使用位置から退避位置へ向かう側が下側を意味し、その反対側が上側を意味する。このような可動式テーブルは、上下の意味が上記説明と入れ替わるだけであり本質的な相違はない。
【００３１】
また、可動式テーブル１は回転保持機構１０の回転軸１１及びロックピン１２をテーブル本体２に、ロック機構１３を支持部材３にそれぞれ設けているが、これらを入れ替えて実施することもできる。即ち、ロック機構１３をテーブル本体２に、回転軸１１及びロックピン１２を支持部材３にそれぞれ設けて本発明を実施することも可能である。
【符号の説明】
【００３２】
１  可動式テーブル
２  テーブル本体
３  支持部材
１０  回転保持機構
１１  回転軸
１２  ロックピン
１３  ロック機構
１５  壁部
１６Ａ、１６Ｂ  ロックばね（ばね手段）
ＡＲ  領域
ＣＬ  回転中心線
Ｗ  壁部（設置対象）
【図１】
0005415166.tif 000002
【図２】
0005415166.tif 000003
【図３】
0005415166.tif 000004
【図４】
0005415166.tif 000005
【図５】
0005415166.tif 000006
【図６】
0005415166.tif 000007
【図７】
0005415166.tif 000008
【図８】
0005415166.tif 000009